(57)【要約】本発明は、煙蒸用装入物（４）の点火のための手段を適合する容器に含まれる殺虫剤、殺菌剤、防カビ剤、信号送信または類似したタイプの前記煙蒸粉末装入物（４）を含むタイプの煙蒸装置である。本発明装置は、第１に、内側の囲包体（１）に置かれている前記燻蒸剤粉末装入物（４）を有し、概して垂直の位置に上部端部で存在し、熱可溶性のキャップ（３）によりその低い端部で閉じた内側の囲包体（１）と呼ばれる前記第１の囲包体を、概して垂直の位置で維持する意図を有する支持体（２、４３）から構成され、第２に、前記熱可溶性のキャップ（３）と接触して前記内側の囲包体（１）の下に配置された燃焼手段（５）から構成されることにおいて特徴付けられる。
2007514433.tif 000002
【特許請求の範囲】
【請求項１】
煙蒸用装入物（４）の点火のための手段を適合する容器に含まれる殺虫剤、殺菌剤、防カビ剤、信号送信または類似したタイプの前記煙蒸粉末装入物（４）を含むタイプの煙蒸装置であって、第１に、内側の囲包体（１）に置かれている前記燻蒸剤粉末装入物（４）を有し、概して垂直の位置に上部端部で存在し、熱可溶性のキャップ（３）によりその低い端部で閉じた内側の囲包体（１）と呼ばれる前記第１の囲包体を、概して垂直の位置で維持する意図を有する支持体（２、４３）から構成され、第２に、前記熱可溶性のキャップ（３）と接触して前記内側の囲包体（１）の下に配置された燃焼手段（５）から構成されることにおいて特徴付けられる装置。
【請求項２】
先行する請求項に記載の装置であって、前記内側の囲包体（１）は、その大きい開いたベースが前記熱可溶性のキャップ（３）によって切り離されたその小型ベースより上に位置する概してテーパをつけられた囲包体から構成されることにおいて特徴付けられる装置。
【請求項３】
先行する請求項のいずれかに記載の煙蒸装置であって、前記燃焼手段は、炭の錠剤（５）から構成されることにおいて特徴付けられる煙蒸装置。
【請求項４】
請求項３に記載の煙蒸装置であって、前記炭の錠剤（５）は、その面の１つにおいて、熱可溶性のキャップ（３）を備えた前記内側の囲包体（１）の前記小型ベースの端が載置される孔を底部に形成する空洞（６）を含むことにおいて特徴付けられる煙蒸装置。
【請求項５】
請求項３または４のいずれかに記載の煙蒸装置であって、前記内側の囲包体（１）の前記小型ベースの前記熱可溶性のキャップ（３）に対して前記炭の錠剤（５）を保持するために使用されるいわゆる保持手段（７）を含むことにおいて特徴付けられる煙蒸装置。
【請求項６】
請求項５に記載の煙蒸装置であって、前記保持手段は、前記バネ（７）の曲線間での前記錠剤（５）の位置決めを可能にするため、前記炭の錠剤（５）の部分より大きい円形の部分のその端部の１つで閉じた螺旋形のバネ（７）から構成され、その固定されていない端部は、その小型ベースの近くの前記内側の囲包体（１）の前記外壁に取り付けられる固定手段（８）の上へ適合するように設計されることにおいて特徴付けられる煙蒸装置。
【請求項７】
請求項５に記載の煙蒸装置であって、前記固定手段が少なくとも２つの正反対に対向した放射突起（８）から構成されることにおいて特徴付けられる煙蒸装置。
【請求項８】
請求項６または７に記載の煙蒸装置であって、それは前記螺旋形のバネ（７）と前記炭の錠剤（５）の前記曲線との間で配置される熱可溶性の封止フィルム（９）を含むことにおいて特徴付けられる煙蒸装置。
【請求項９】
先行する請求項のいずれかに記載の煙蒸装置であって、前記内側の囲包体（１）の前記大きいベースは、穿孔された取り外し可能なカバー（１６）によって閉じ、前記内側の囲包体（１）に含まれる前記煙蒸用装入物（４）の前記燃焼によって生じる前記煙の前記排出に加えて、白熱粉末の前記放射を可能にする前記カバー（１６）の前記穿孔（１７）を有することにおいて特徴付けられる煙蒸装置。
【請求項１０】
請求項９に記載の装置であって、前記カバー（１６）の前記穿孔（１７）は、前記カバー（１６）の前記内側および／または外側の壁に配置される熱可溶性のフィルム（２０）によって切り離されることにおいて特徴付けられる装置。
【請求項１１】
先行する請求項のいずれかに記載の装置であって、前記内側の囲包体（１）の前記上端部は、前記外側の囲包体（１２）として公知であり、支持体を形成する円柱状のまたはテーパをつけられた形状の第２の囲包体の上部の端を支えるように設計された周縁継ぎ輪（１０）を含むので、前記外側の囲包体（１２）の前記内側の壁と前記内側の囲包体（１）の前記外壁との間の空間を形成して、前記内側の囲包体（１）が、後者の内部で前記外側の囲包体と同軸的に存在することにおいて特徴付けられる装置。
【請求項１２】
請求項１１に記載の装置であって、前記外側の囲包体（１２）は、そのより低い端部の近くに少なくとも１つの開口（１４）を含むことにおいて特徴付けられる装置。
【請求項１３】
請求項１１および１２に記載の装置であって、前記周縁継ぎ輪（１０）は、前記底部（１３）から前記外側の囲包体（１２）の前記上部まで、前記外側の囲包体（１２）と前記内側の囲包体（１）との間の空気の循環を可能にするために孔（１５）を含むことにおいて特徴付けられる装置。
【請求項１４】
先行する請求項のいずれかに記載の装置であって、前記熱可溶性のキャップ（３）および／または前記熱可溶性のフィルム（２０）および／または防水加工フィルム（９）は、２、３ミクロンの厚さのポリプロピレンまたはポリ塩化ビニルまたはポリエチレンのフィルムから構成されていることにおいて特徴付けられる装置。
【請求項１５】
先行する請求項のいずれかに記載の装置であって、前記外側の囲包体（１２）はポリプロピレンでできていることにおいて特徴付けられる装置。
【請求項１６】
請求項１から１５のいずれかに記載の装置であって、前記内側の囲包体（１）は、ガラス繊維が詰め込まれるポリアミドでできていることにおいて特徴付けられる装置。
【請求項１７】
請求項１から１０、１４または１６に記載の装置であって、前記内側の囲包体（１）の上部の直径よりも大きな直径の円柱状のまたはテーパをつけられた形状の容器（４０）は、前記容器（４０）を保持し、前記内側の囲包体（１）の下に配置される前記燃焼手段（５）を収容している支持体（４３）を有して、その上部端部によって取り付けた前記上部端（１０）まで、内部でかつ前記内側の囲包体（１）と同心で前記容器の底部で存在し、円柱状のまたはテーパをつけられた形状の噴煙口（４１）を含むことにおいて特徴付けられる装置。
【請求項１８】
請求項１７に記載の装置であって、前記噴煙口（４１）は、そこに取り付けられる前記内側の囲包体（１）周辺において前記継ぎ輪（１０）の下に位置する開口で置き換えられることにおいて特徴付けられる装置。
【発明の詳細な説明】
【技術分野】
【０００１】
本発明は、煙蒸用装入物の点火のための手段に適合する容器に含まれる殺虫剤、殺菌剤、殺菌剤、または、信号送信タイプまたはそれに類似した煙蒸粉末の装入を含むタイプの煙蒸装置に関する。
【背景技術】
【０００２】
煙蒸装置においては、煙蒸用装入物に部分的に埋めこまれているヒューズによって火をつけられる意図を有する粉末、圧縮された粉末または錠剤の形の煙蒸用装入物を含む金属容器から一般に構成される煙蒸ポットがきわめてよく知られている。これは、殺虫剤、殺菌剤または防カビ剤タイプの燻蒸剤を記載する例えばフランス特許ＦＲ２  ６３７  ４５９の場合である。この燻蒸剤は、硝酸アンモニウム、ジシアンジアミド、二酸化ケイ素、塩素溶媒または固体の塩素を含むタイプのものであり、おそらく、点火手段を備えた容器において添加物がパックされたものである。活性防カビ剤、殺虫剤または殺菌剤材料は、容器に含まれる様々な他の生成物への抵抗力のある不透水的な材料から作成される小さい袋において封入され、燻蒸温度の以下の温度で溶融可能である。
【０００３】
さらに、米国特許ＵＳ  ３  ３４０  ５６９は、上部にスクリューキャップを備えた円柱状の容器からなる煙蒸ポットを記載する。前記容器は、金属カバーで包まれた固体の燻蒸剤合成物の錠剤からなる煙蒸用装入物で満たされ、点火剤が含浸された綿のストリップから構成された点火ストリップがそれから突き出るように構成される。
【発明の開示】
【発明が解決しようとする課題】
【０００４】
この種の煙蒸装置の信頼性は不十分である。実際には、点火剤がその製造の間導火線に十分に分配されない場合、点火剤が含浸される綿の導火線は不十分な熱を発し、導火線からの燃焼の端が燻蒸剤粉末装入物に落下することもある、または、前記煙蒸用装入物に達して消えてしまうことさえある。
【０００５】
発明の目的はそれゆえに、安価であり、単純なデザインの煙蒸装置を提案することによって、煙蒸用装入物の確実な点火を達成するこの欠点を改善することである。
【課題を解決するための手段】
【０００６】
発明によれば、煙蒸用装入物の点火のための手段に適合する容器に含まれる殺虫剤、殺菌剤、防カビ剤、信号送信または類似した煙蒸粉末装入物を含むタイプの煙蒸装置が提案され、第１にそれが、概して垂直の位置において、熱可溶性のキャップによってその上部端部で開き、より低い端部で閉じる内側の囲包体と呼ばれ、燻蒸剤粉末装入物が前記内側の囲包体に配置される第１の囲包体を維持する意図を有する支持体、および、第２に、熱可溶性のキャップと接触して内側の囲包体の下に配置される燃焼手段で構成されることにおいて注目に値する。
【０００７】
煙蒸用装入物の点火がその上部端部から前記煙蒸用装入物において部分的に埋め込まれた点火剤が含浸される導火線によって達成された以前のデザインの装置に反して、発明の装置の燻蒸剤粉末装入物の点火は、かなりその点火が改善された煙蒸用装入物を含む容器の底部を経て生じることを明確に示すことができる。
【０００８】
燃焼手段は、その表面の１つが熱可溶性のキャップを備えた内側の囲包体の小さいベースの端に載置するその底部に孔を形成する空洞を有する炭錠剤から好ましくは構成されている。
【０００９】
加えて、内側の囲包体は、大きい開いたベースがその小さいベース上に位置し、熱可溶性のキャップによって切り離される概してテーパをつけられた囲包体から好ましくは構成される。
【００１０】
他の利点および特性は、添付の図面に関して発明の煙蒸装置の非制限的な例のために提供されるいくつかの実施例の変形において、以下の説明からより明らかになる。
【００１１】
図１および２に関して、発明の煙蒸装置は、例えば、内側の囲包体１の大きいベースがその小さいベースより上にあるように支持体２によって概して垂直の位置において保持されるガラス繊維が詰め込まれるポリアミドのような、耐火または火に対する高い抵抗を有する材料から作成される概してテーパをつけられた形状の本体からなる内側の囲包体１と呼ばれる囲包体を含む。後者は、例えば、２、３ミクロンの厚みを有するポリプロピレン、ポリ塩化ビニルまたはポリエチレンのフィルムから構成された熱可溶性のキャップ３によって閉じられるので、前記内側の囲包体１は、例えば殺虫剤、殺菌剤、防カビ剤、信号送信または類似した粉末タイプの煙蒸用装入物のような適切な煙蒸用装入物４を含むことができる。
【００１２】
キャップ３がプロのエンジニアにとって周知のいかなる熱可溶性の材料からでも作成されることができ、煙蒸用装入物４は、発明の範囲内にとどまる一方、内側の囲包体１または錠剤の形状またはそれに似た形状に類似した圧縮された粉末という形をとることができることは、きわめて明らかである。
【００１３】
装置はまた、水煙管でのタバコの燃焼のために使用される圧縮された炭の粉末錠剤タイプの炭錠剤５から構成される内側の囲包体１に含まれる煙蒸用装入物４の燃焼のための手段を含む。炭錠剤５はその一つの表面に、その熱可溶性のキャップ３と適合する内側の囲包体１の小さいベースの端を載置する底部に孔を形成する空洞６を含む。前記内側の囲包体１は、その小さいベースの熱可溶性のキャップ３に対して炭錠剤５を維持するために用いるいわゆる保持手段を含む。これらの保持手段は、バネ７の曲線の間の前記錠剤５の位置決めを可能にするため、炭錠剤５の断面よりちょうど大きい円形の断面のその端部の一つで閉じ、その固定されていない端部は、その小さいベースの近くの内側の囲包体１の外壁に取り付けられる２つの正反対に対向した放射突起８からなる固定手段上へ適合させるように設計された螺旋形のバネ７から構成される。前記内側の囲包体１は、放射突起８の頂点で概して螺旋形のバネ７の曲線の部分に一般的に同等である部分を有するようにその小さいベースの近くに横断面が減少させて、内側の囲包体１を含むことが観察される。加えて、装置は、それを湿気から保護するため、および、前記錠剤５が破損した場合には炭の塵の散布を妨げるため、螺旋形のバネ７の曲線と炭錠剤５との間で配置された図２の破線によって示される熱可溶性の封止フィルム９を都合よく含む。
【００１４】
内側の囲包体１はまた、外側の囲包体１２として知られ、前記内側の囲包体１が、外側の囲包体１２、および、外側の囲包体１２の内壁と内側の囲包体１の外壁との間で空間を形成する後者の内部と同軸にあるように支持体２を形成する第２の囲包体の上端で作成された肩部１１の上で支えるように設計された周縁継ぎ輪１０をその大きいベースの近くにあるその上部端部の近くに含む。この外側の囲包体１２は、その底部１３からその開いた上部に広げられ、例えばポリプロピレンでできているテーパをつけられた容器から構成される。外側の囲包体１２の高さは内側の囲包体１の高さより高いので、肩１１上に載置される内側の囲包体１の周縁継ぎ輪１０が外側の囲包体１２の上端で作成される場合、炭の錠剤５の下への例えばマッチのような点火手段の導入を可能にするため、螺旋形のバネ７によって内側の囲包体１の下端に対して保持される炭の錠剤５の下端、および、外側の囲包体１２の底部１３の間で十分な隙間の空間が形成される。炭の錠剤５の位置、後者のちょうど下へのマッチの導入を可能にするため、および、その燃焼を始めるため、外側の囲包体１２は、その低い端部の近くに横方向の壁において作成される開口部１４を含む。この特に非制限的な実施例において、外側の囲包体１２は、外側の囲包体１２周辺で均等に分配される３つの開口部１４を含む。これらの開口部１４は、大きいベースが外側の囲包体１２の底部１３と概して一致し、小さいベースが内側の囲包体１の下端のちょうど上にある概して台形の形状である。炭の錠剤５へのマッチの導入の許容から離れて、これらの開口部１４は、内側の囲包体１の周縁継ぎ輪１０において空気通過用貫通孔１５を作成して、前記外側の囲包体の低い端部１３から上端部１２までの外側の囲包体１２と内側の囲包体１との間の空気の循環を可能にする。これらの孔１５は円形の形状であり、継ぎ輪１０周辺で一様に間隔を置かれる。しかしながら、炭の錠剤５の燃焼に送風するように内側の囲包体１と外側の囲包体１２との間の十分な空気循環を可能にするため、これらの孔１５の数、形状および大きさは、専門家によって変えることができ、容易に適応されることに注意するべきである。さらに、内側の囲包体１と外側の囲包体１２との間の空気の循環は、前記外側の囲包体の断熱を作成することが観察され、したがって、空気の循環が外側の囲包体１２を冷却するので、焦げることのない煙蒸用装入物の燃焼の間、ユーザが装置を把握することを可能にする。
【００１５】
また、内側の囲包体１は、白熱粉末の放射を制限するために、炭の錠剤５の燃焼によって開始される内側の囲包体１に含まれる煙蒸用装入物４の燃焼によって生じる煙の排出口を可能にすることに加えて、カバー１６において穿孔１７が用いられた穿孔されかつ取り外し可能なカバー１６によりその上部端部で閉じられる。このカバー１６は、内側の囲包体１の上端で作成される小型肩１８上に載置され、内側の囲包体１の端内部の上部の上で支えられる内側の裾部１９によって前記端部で適所に保持される。このカバー１６はまた、後者の穿孔１７を切り離すため前記カバー１６の内側の壁に載置される第３の熱可溶性のフィルム２０を含む。発明の範囲外にならずに、カバー１６の穿孔１７がカバーの内側および／または外側の壁に配置される熱可溶性のフィルム２０によって切り離されることができることは、言うまでもない。
【００１６】
さらに、図１および２に関して、装置は外側の囲包体１２の上部端に塑性変形によってそれ自体を取り付け、その中央の部分で、それは前記装置の積重ねを容易にするため、第２の装置の外側の囲包体１２の底部１３を収容することができる円形の空洞を含む蓋２１を含む。
【００１７】
図１および２に関して、次に発明の煙蒸装置の作業を説明する。
マッチは、装置の外側の囲包体１２の下端で作成される開口部１４のうちの１つを経て導入されるので、マッチの炎はその燃焼が始まるまで、炭の錠剤５と接触している。空気の循環によって送風される炭の錠剤５の燃焼は、外側の囲包体１２の開口部１４と内側の囲包体１の周縁継ぎ輪１０の孔１５との間で生じ、最初は内側の囲包体１を閉じている熱可溶性のキャップ３を溶解する熱を放ち、このことにより燻蒸剤粉末装入物４と加熱された炭の錠剤５とを接触させ、したがって、前記煙蒸用装入物４の燃焼を開始させる。煙を出すことに加えて、煙蒸用装入物４の燃焼は、カバー１６の内側の壁に配置される熱可溶性のフィルム２０を溶解し、したがって内側の囲包体１の上端を閉める熱の生成につながる。熱可溶性のフィルム２０の燃焼は、燻蒸剤粉末装入物４の燃焼によって放たれた煙を放出するカバー１６で穿孔１７の隙間において生じる。
【発明を実施するための最良の形態】
【００１８】
発明の煙蒸装置の第１の実施例の変形によれば、図３および４に関して、従来通り、その後者は概してテーパをつけられた形状で内側の囲包体１と呼ばれる第１の囲包体で構成されるので、前記囲包体１の大きいベースは、熱可溶性のキャップ３によって閉じられたその小型ベースより上に位置し、煙蒸粉末装入物４は、前記内側の囲包体１内に配置される。装置はまた、第１の内側の囲包体１のための支持体２を形成して、外側の囲包体１２として知られる第２の囲包体を含む。この外側の囲包体１２は、開口部１４を有してその底部１３の端部の近くで横方向の壁に備えられ、垂直の内側の壁２２を備えた円柱状の容器から構成される。これらの垂直の内側の壁２２は、第１に、炭の錠剤５からなり、前記錠剤５は、後者より上の外側の囲包体１２の底部１３に概して並列の状態にあり、底部１３と錠剤５の低い端部との間へのマッチの導入のための十分な空間を残す燃焼手段、および、第２に、内側の囲包体１の下端が炭の錠剤５の上面で支えられ、したがって、内側の囲包体１が、後者の内部で外側の囲包体１２と同軸的に存在し、外側の囲包体１２の内側の壁と内側の囲包体１の外側の壁との間で空間を形成するように上部端部で形成されるその周縁継ぎ輪１０が垂直の内側の壁２２の上部端上に支えられる内側の囲包体１を受容するために設計される。加えて、周縁継ぎ輪１０の直径は外側の囲包体１２の直径よりわずかに小さく、したがって、炭の錠剤５の燃焼に送風するため底部１３から前記外側の囲包体１２の上端部への外側の囲包体１２と内側の囲包体１との間の空気の循環を可能にするように、周縁継ぎ輪１０の端と外側の囲包体１２の内側の壁との間に空間を作成する。
【００１９】
発明の煙蒸装置の第２の実施例の変形によれば、図５および６に関して、後者は、炭の錠剤５が載置される意図を有する円柱状の止め金具２３とその中央の部分で適合するディスクの形状において底部を形成する支持板２からなる。この支持体底部２は、概して円柱状の形状で、蒸粉末装入物４が配置される内側の囲包体１と呼ばれる第２の囲包体を区切るテーパをつけられた内側の壁２４を備え、内側の囲包体１と呼ばれる囲包体のその開いた低い端部は、外側の囲包体１２が支持体底部２を覆う場合、炭の錠剤５の上面の空洞６に載置される熱可溶性のキャップ３によって閉じられる外側の囲包体１２として公知の囲包体によって覆われるように設計される。この外側の囲包体１２はまた、低い開口部１４と中間の孔１５との間の空気の循環を可能にするため、炭の錠剤５の位置、および、内側の囲包体１を区切っているテーパをつけられた壁２４のちょうど下で外側の囲包体１２の概して中間の部分に置かれる孔１５への例えばマッチのような点火手段の導入を可能にする開口部１４をその低い端部で含む。
【００２０】
発明の装置の第３の実施例の変形によれば、図７および８に関して、後者は、炭の錠剤５を収容することができるカップを形成する空洞２７をその中央の部分で有する環状の円形の格子２６を収容することができるスロート２５をそれらの下部部材においてそれぞれ備える２つの部分１２ａ、１２ｂを有する円柱状の形状の外側の囲包体１２として公知である囲包体からなる支持体２を含む。外側の囲包体１２はまた、その下端部１３の近くに、格子２６の空洞２７に置かれる炭の錠剤５までマッチの導入を可能にするため、前記外側の囲包体１２の横方向の壁において作成される開口部１４を含む。外側の囲包体１２もまた、前記外側の囲包体１２の回転軸に沿ったその内側の壁から、外側の囲包体１２の開放上端に近い状態にあり、概してテーパをつけられた形状であり、熱可溶性のキャップ３により近いその低い端部で閉じた、内側の囲包体１と呼ばれる囲包体の上部端部にある周縁継ぎ輪１０を支える内部チーク２８を含む。したがって、前記内側の囲包体１は外側の囲包体１２と同軸にあり、外側の囲包体１２の内側の壁と内側の囲包体１の外側の壁との間の空間を形成して後者の内部で位置するので、前記内側の囲包体１の下端は、炭の錠剤５の上面を支える。内側の囲包体１の周縁継ぎ輪１０の直径は外側の囲包体１２の内径よりわずかに少なく、したがって、炭の錠剤の燃焼に送風するように、底部１３から前記外側の囲包体１２の上部への外側の囲包体１２と内側の囲包体１との間の空気の循環を可能にすることが、観察される。
【００２１】
発明の煙蒸装置の第４の実施例の変形によれば、図９および１０に関して、後者は、図５および６において示される第３の実施例の変形と同様に、その中央の部分で、炭の錠剤５が載置される意図を有する円柱状の止め金具２３を有して適合するディスクからなる支持体２を形成する底部からなる。装置はまた、その上部端部からその低い開口部への広がるテーパをつけられた形状で、後者の上へ支えることによって支持体２を覆うように設計された外側の囲包体１２として公知の囲包体を形成する第１の壁２９aを有する二重の壁を有する回転体２９を含む。回転体２９の第２の壁２９ｂは、概してテーパをつけられた形状で、その低い開口部から広がり、熱可溶性のキャップ３によって切り離され、その上部端部まで、外側の囲包体１２として公知の囲包体の上部端部と一致するので、内側の囲包体１が、外側の囲包体１２と同軸であり、その内部にあり、後者は、外側の囲包体１２の内側の壁と内側の囲包体１の外側の壁との間の空間を形成している内側の囲包体１と呼ばれる第２の囲包体を形成する。加えて、内側の囲包体１の低い端部は、支持体２の中央の止め金具２３に配置される炭の錠剤５の上面上に回転体が後者を覆う場合に載置される。外側の囲包体１２は、外側の囲包体１２と内側の囲包体１との間の空気の循環を可能にするためその低い端部で作成される開口部１４、および、その上部端部で均等に分配される孔１５を含むことにもまた、注意するべきである。
【００２２】
他の発明の煙蒸装置の実施例の変形によると、図１１および１２に関して、従来通り、概してテーパをつけられた形状の、内側の囲包体１と呼ばれる囲包体で後者は構成されるので、前記囲包体１の大きいベースは、その上部端部で、鋼鉄のワイヤ支持体２の上で支えられるように設計された周縁継ぎ輪１０を含む前記内側の囲包体１に置かれる燻蒸剤粉末装入物４を有し、熱可溶性のキャップ３によって切り離されるその小型ベースより上に位置する。この支持体２は、リング３０および内側の囲包体１の回転軸と一致して、支持体２の脚３１の接合位置においてそれらの下部部材で結合される４つの垂直の脚３１の上端部に水平に存在する円形のリング３０を含む。垂直の脚３１は、前記回転軸に沿って、上面が内側の囲包体１と呼ばれる囲包体の下端を閉じる熱可溶性のキャップ３と接触している炭の錠剤５を受容するように設計されたカップ３２を形成するため、それらのより低い部分において、後者の周縁継ぎ輪１０が支持体２の円形のリング３０上に載置される場合、Ｌ字に曲げられる。
【００２３】
なお、図１３に関して図示されないが、装置は、概して円柱状の形状の囲い３７の横方向の壁から、放射状に存在するスライド３６に取り付けられ、ベース３４に支えられ、発明の煙蒸装置に配置されるので、装置の外側の囲包体１２の下端の近くに作成される開口部１４のうちの１つは、概して点火装置３５の近くにある点火装置３５を有する出力-供給手段を備えるベース３４を含む点火容器と呼ばれる容器３３を都合よく含むことができる。例えば、この点火装置３５は、後者の燃焼を開始されるために、装置の外側の囲包体１２の開口１４の近くに位置する第１の収縮した位置から、炭の錠剤５の下に位置する使用中の位置まで摺動するように設計される圧電点火装置から構成される。例えば電気イグナイタのような他のいかなる点火装置も、ジュール効果によって燃焼を開始させることが予想できることは言うまでもない。
【００２４】
最後に、図１４において概略的に示される一番最後の変形によれば、発明の装置は、大きい容積の煙蒸用装入物４を収容するために適応することができる。この変形において、先の変形においてそれは内側の囲包体１内で完全に同封された装入物４は、容器４０の内部を通じて装置の内側の囲包体１の上端まで同心で立ち上がる円柱状のまたはテーパをつけられた噴煙口４１をその底部で含む囲包体１より大きい直径の円柱状のまたはテーパをつけられた容器４０に位置する。以前の変形のように、囲包体１は容器４０の底にテーパをつけられた開口２１の上部部分に位置する、対応する継ぎ輪に載置されるように設計された周縁継ぎ輪１０を備える。内側の囲包体１および容器４０の噴煙口４１は、座金タイプの手段４２の中央またはプロのエンジニアに公知の他のいかなるこのような手段が取り付けられる。
【００２５】
装置はまた、バネ７によって内側の囲包体１の下部部材と接触して保持される炭の錠剤５を適合する。装置は、例えば図２の変形２記載されたように、先の実施のすべての方法において同じである。炭の燃焼を開始させる手段、それゆえに煙蒸用装入物４は、マッチまたは他のいかなる電気的な手段、圧電性の手段または他のもののような以前に示された手段と同様であることは明らかである。大きい直径の容器４０を支持するため、先の実施例のように、その燃焼を維持するために必要とされる換気に関してと同様に、その下部部材が地面での組立を保ち、燃焼要素５に火をつける接触点を提供する外部支持体４３は必要とされる。しかしながら、先の実施例のように、もはやいかなる噴煙口効果もなく、囲包体４３の開口部が設計されるので、この燃焼は、煙蒸用装入物４の正しい燃焼のために、適切に維持されることに注意するべきである。最後に、カバー１６は、特に第２の変形の関係で述べたように作動する容器４０の上部閉止を提供する。
【００２６】
容器４０の底部の中央で提供される噴煙口４１は発明の特定の機能を有さず、囲包体１の継ぎ輪１０上への前記容器４０の組立の用途にのみ役立つことは言うまでもない。それゆえにこの噴煙口４１の高さを減らすまたはそれを取り除くことさえも可能であり、内側の囲包体１周辺において継ぎ輪１０の下で適合している開口のみを保持することが可能である。
【００２７】
炭の錠剤５は、他のいかなる燃焼手段にも置き換えられることができ、上で提供される例１は特定の具体例のみのためであり、発明の用途の領域に関していずれにしろ制限しないことは、きわめて明らかである。
【図面の簡単な説明】
【００２８】
【図１】発明の煙蒸装置の分解斜視図である。
【図２】発明の装置の横断面の図である。
【図３】発明の煙蒸装置の実施例の変形の分解斜視図の図である。
【図４】図３において表される発明の装置の実施例の変形の横断面の図である。
【図５】発明の煙蒸装置の第２の実施例の変形の分解斜視図の図である。
【図６】図５において表される発明の煙蒸装置の実施例の変形の横断面の図である。
【図７】発明の煙蒸装置の第３の実施例の変形の分解斜視図である。
【図８】図７において表される煙蒸装置の実施例の変形の横断面の図である。
【図９】発明の煙蒸装置の第４の実施例の変形の分解斜視図である。
【図１０】図９において表される煙蒸装置の実施例の変形の横断面の図である。
【図１１】発明の煙蒸装置の第５の実施例の変形の分解斜視図である。
【図１２】図１１において表される発明の煙蒸装置の実施例の変形の横断面の図である。
【図１３】点火ベースに配置される発明の煙蒸装置の断面図である。
【図１４】大容量の燻蒸剤を有する装置の実施例の変形の横断面の図である。
【図１】
2007514433.tif 000003
【図２】
2007514433.tif 000004
【図３】
2007514433.tif 000005
【図４】
2007514433.tif 000006
【図５】
2007514433.tif 000007
【図６】
2007514433.tif 000008
【図７】
2007514433.tif 000009
【図８】
2007514433.tif 000010
【図９】
2007514433.tif 000011
【図１０】
2007514433.tif 000012
【図１１】
2007514433.tif 000013
【図１２】
2007514433.tif 000014
【図１３】
2007514433.tif 000015
【図１４】
2007514433.tif 000016
【国際調査報告】
2007514433.tif 000017
2007514433.tif 000018
2007514433.tif 000019
2007514433.tif 000020
2007514433.tif 000021
2007514433.tif 000022